(57)【要約】      （修正有）【課題】管理対象を複数人で管理するにあたって使い勝手がよく簡易に構成可能なセキュリティシステムを提供する。【解決手段】管理対象に備えられて所定情報を記憶する情報記憶手段と、所定情報を非接触で読み書き可能なリーダライタを有する複数の管理端末装置とからなり、情報記憶手段に複数の管理端末装置全ての位置情報Ｉ２を記憶させ、リーダライタを、第１および第２の設定範囲Ａ１，Ａ２のいずれによって情報が読み込まれたかを検出可能とし、前記設定範囲Ａ１，Ａ２において位置情報Ｉ２を全て読み込ませておいて、第１の設定範囲Ａ１での読み込みを検出したとき、該管理端末装置の位置情報を圏内情報に書き換え、第２の設定範囲Ａ２での所定情報の読み込みを検出したとき、該管理端末装置の位置情報を圏外情報に書き換えるように構成し、管理端末装置はリーダライタにより読み込まれた位置情報Ｉ２が全て圏外情報であると判断したときに警告を発する。【選択図】図２
2006085314.tif 000002
【特許請求の範囲】
【請求項１】
管理対象に備えられて所定情報を記憶する情報記憶手段と、前記情報記憶手段に記憶される前記所定情報を非接触で読み書き可能なリーダライタを有する複数の管理端末装置とからなるセキュリティシステムであって、
前記情報記憶手段は、前記所定情報として、前記管理端末装置との位置関係を示す位置情報を前記複数の管理端末装置の全てについてそれぞれに対応付けて記憶し、
前記リーダライタは、前記情報記憶手段に記憶される前記所定情報を非接触で読み書きする範囲のうち第１の設定範囲および前記第１の設定範囲より広範の第２の設定範囲のいずれによって前記所定情報が読み込まれたかを検出可能とされ、前記第１および第２の設定範囲において前記複数の管理端末装置の全てについてそれぞれに対応付けられた位置情報を全て読み込むように構成されるとともに、前記第１の設定範囲での前記所定情報の読み込みを検出したときに、該リーダライタを有する管理端末装置に対応付けられた位置情報を前記情報記憶手段が第１の設定範囲内にあることを示す圏内情報に書き換え、前記第２の設定範囲での前記所定情報の読み込みを検出したときに、該リーダライタを有する管理端末装置に対応付けられた位置情報を前記情報記憶手段が前記第１の設定範囲外にあることを示す圏外情報に書き換えるように構成され、
前記管理端末装置は、前記リーダライタにより読み込まれた前記位置情報が全て前記圏外情報であると判断したときに警告を発する警告手段を有して構成されることを特徴とするセキュリティシステム。
【請求項２】
管理対象に備えられて所定情報を記憶する情報記憶手段と、前記情報記憶手段に記憶される前記所定情報を非接触で読み書き可能なリーダライタを有する複数の管理端末装置とからなるセキュリティシステムであって、
前記情報記憶手段は、前記所定情報として、前記管理端末装置との位置関係を示す位置情報を前記複数の管理端末装置の全てについてそれぞれに対応付けて記憶し、
前記リーダライタは、前記情報記憶手段に記憶される前記所定情報を非接触で読み書きする範囲のうち第１の設定範囲および前記第１の設定範囲より広範の第２の設定範囲のいずれによって前記所定情報が読み込まれたかを検出可能とされ、前記第１および第２の設定範囲において前記複数の管理端末装置の全てについてそれぞれに対応付けられた位置情報を全て読み込むように構成されるとともに、前記第１の設定範囲での前記所定情報の読み込みを検出したときに、該リーダライタを有する管理端末装置に対応付けられた位置情報を前記情報記憶手段が第１の設定範囲内にあることを示す圏内情報に書き換え、前記第２の設定範囲での前記所定情報の読み込みを検出したときに、該リーダライタを有する管理端末装置に対応付けられた位置情報を前記情報記憶手段が前記第１の設定範囲外にあることを示す圏外情報に書き換えるように構成され、
前記管理端末装置は、前記リーダライタにより読み込まれた前記位置情報のうち前記圏外情報が所定数以上であると判断したときに警告を発する警告手段を有して構成されることを特徴とするセキュリティシステム。
【請求項３】
前記管理端末装置は、前記リーダライタによる前記情報記憶手段に記憶される前記所定情報の読み込みを所定時間おきに継続して行うように構成されることを特徴とする請求項１および２に記載のセキュリティシステム。
【発明の詳細な説明】
【技術分野】
【０００１】
本発明は、管理対象に備えられてこの管理対象の位置情報を記憶する情報記憶手段と、この情報記憶手段に記憶される位置情報を非接触で読み書き可能なリーダライタを有した端末装置とからなるセキュリティシステムに関する。
【背景技術】
【０００２】
従来、カバン等の管理対象となるものに発信器を設け、管理者に発信器からの電波を所定距離内において受信可能な受信器を備えた端末装置を携帯させ、受信器が電波を受信できないときにブザーから警告音を発するように端末装置を構成することにより、管理者と管理対象とが所定距離以上離れたときに、それを管理者に知覚させるセキュリティシステムが考案されている。
【発明の開示】
【発明が解決しようとする課題】
【０００３】
しかしながら、上記セキュリティシステムを利用して複数人であるものを管理しようとする場合、管理者各自に上記端末装置を携帯させたとすると、管理対象から離れようとする管理者それぞれが携帯する端末装置から警告音が発せられる。このため、複数人で管理する際において、他の管理者が管理対象を確実に安全管理下においているような状態であっても警告がなされてしまうこととなり、セキュリティシステムが十分に機能しないという問題があった。
【０００４】
上記問題に鑑みて本発明は、複数人であるものを管理する場合に、従来よりも使い勝手のよいセキュリティシステムを簡易に構成することを目的とする。
【課題を解決するための手段】
【０００５】
上記目的達成のため、本発明に係るセキュリティシステムは、管理対象に備えられて所定情報を記憶する情報記憶手段（例えば実施形態におけるＩＣタグ２）と、情報記憶手段に記憶される所定情報を非接触で読み書き可能なリーダライタを有する複数の管理端末装置とからなるセキュリティシステムであって、情報記憶手段を、所定情報として管理端末装置との位置関係を示す位置情報を複数の管理端末装置の全てについてそれぞれに対応付けて記憶させ、リーダライタを、情報記憶手段に記憶される所定情報を非接触で読み書きする範囲のうち第１の設定範囲および第１の設定範囲より広範の第２の設定範囲のいずれによって所定情報が読み込まれたかを検出可能とし、第１および第２の設定範囲において複数の管理端末装置の全てについてそれぞれに対応付けられた位置情報を全て読み込むように構成するとともに、第１の設定範囲での所定情報の読み込みを検出したときに、該リーダライタを有する管理端末装置に対応付けられた位置情報を情報記憶手段が第１の設定範囲内にあることを示す圏内情報に書き換え、第２の設定範囲での所定情報の読み込みを検出したときに、該リーダライタを有する管理端末装置に対応付けられた位置情報を情報記憶手段が第１の設定範囲外にあることを示す圏外情報に書き換えるように構成し、管理端末装置に、リーダライタにより読み込まれた位置情報が全て圏外情報であると判断したときに警告を発する警告手段（例えば実施形態におけるブザー８）を有して構成している。
【０００６】
また、第２の本発明に係るセキュリティシステムは、管理対象に備えられて所定情報を記憶する情報記憶手段（例えば実施形態におけるＩＣタグ２）と、情報記憶手段に記憶される所定情報を非接触で読み書き可能なリーダライタを有する複数の管理端末装置とからなるセキュリティシステムであって、情報記憶手段を、所定情報として管理端末装置との位置関係を示す位置情報を複数の管理端末装置の全てについてそれぞれに対応付けて記憶させ、リーダライタを、情報記憶手段に記憶される所定情報を非接触で読み書きする範囲のうち第１の設定範囲および第１の設定範囲より広範の第２の設定範囲のいずれによって所定情報が読み込まれたかを検出可能とし、第１および第２の設定範囲において複数の管理端末装置の全てについてそれぞれに対応付けられた位置情報を全て読み込むように構成するとともに、第１の設定範囲での所定情報の読み込みを検出したときに、該リーダライタを有する管理端末装置に対応付けられた位置情報を情報記憶手段が第１の設定範囲内にあることを示す圏内情報に書き換え、第２の設定範囲での所定情報の読み込みを検出したときに、該リーダライタを有する管理端末装置に対応付けられた位置情報を情報記憶手段が第１の設定範囲外にあることを示す圏外情報に書き換えるように構成し、管理端末装置に、リーダライタにより読み込まれた位置情報のうち圏外情報が所定数以上であると判断されたときに警告を発する警告手段（例えば実施形態におけるブザー８）を有して構成している。
【０００７】
なお、上記両セキュリティシステムの管理端末装置を、リーダライタによる情報記憶手段に記憶される所定情報の読み込みを所定時間おきに継続して行うように構成することが好ましい。
【発明の効果】
【０００８】
本発明に係るセキュリティシステムは、管理対象に備え付けられた情報記憶手段と、情報記憶手段と第１および第２の設定範囲において非接触で情報の送受信可能なリーダライタを有する複数の管理端末装置とから構成され、全ての管理端末装置において第１の設定範囲内に情報記憶手段がない状態となれば警告を発するように管理端末装置を構成している。これにより、最後まで管理対象を第１の設定範囲内においていた管理端末装置が第１の設定範囲外に出たときになって初めて、警告手段による警告がなされることとなり、複数人で管理対象を管理する場合において従来よりも使い勝手のよいセキュリティシステムを提供することができる。また、情報記憶手段を複数の管理端末装置のそれぞれの位置情報を記憶させて管理者にとっての共有メモリとして機能させることにより、システムを情報記憶手段とこの情報記憶手段と非接触で情報を読み書き可能なリーダライタを有した管理端末装置とのみから構成することができ、このような利便性のあるシステムを簡易に構成することができる。
【０００９】
また、第２の本発明に係るセキュリティシステムによれば、上記セキュリティシステムでは、１つでも管理端末装置が情報記憶手段を第１設定範囲内においていれば警告されないシステムであるのに対し、所定数以上の管理端末装置において情報記憶手段が第１設定範囲外にあれば警告されるようになっている。これにより、所定数に応じて警告タイミングを変化させることが可能となり、適宜所定数を設定することによって管理対象のセキュリティ性に応じた管理を行うことが可能となる。また、上記システムと同様にして、情報記憶手段を複数の管理端末装置のそれぞれの位置情報を記憶させて管理者にとっての共有メモリとして機能させることにより、システムを情報記憶手段とこの情報記憶手段と非接触で情報を読み書き可能なリーダライタを有した管理端末装置とのみから構成することができ、このような利便性のあるシステムを簡易に構成することができる。
【００１０】
また、リーダライタによる情報記憶手段に記憶される情報の読み込みを所定時間おきに継続して行うことにより、管理対象が最小の設定範囲内から外れてから管理端末装置がこれを確認するまでのタイムラグをなくすことができ、セキュリティ性を損なうことなくシステムの運営を行うことができる。
【発明を実施するための最良の形態】
【００１１】
以下、本発明の好ましい実施形態について図面を参照して説明する。図１に構成概略図を示すように、本発明に係るセキュリティシステムＳＳは、本システムのセキュリティ対象である管理対象１に備えられ、この管理対象１に係る情報を記憶し且つ非接触（電磁波）で出力可能なＩＣタグ２と、ＩＣタグ２が記憶する情報を非接触で読み出しおよび書き換え可能に構成される複数の管理端末装置５，５，…とからなる。
【００１２】
ＩＣタグ２は、固有ＩＤ情報Ｉ１、および管理端末装置５ａ，５ｂ，…の全てについてそれぞれの位置関係をそれぞれ対応付けて示す位置情報Ｉ２ａ，Ｉ２ｂ，…を記憶するメモリ２１ａを備えたＩＣチップ２１、外部と無線通信を行うアンテナ部２２を有して構成されており、管理対象１の適宜箇所に備え付けられる。
【００１３】
本システムに複数設けられる管理端末装置５はそれぞれ、アンテナ部６１を有してＩＣタグ２と非接触で情報の送受信を行うリーダライタ６と、リーダライタ６と接続され、リーダライタ６によるＩＣタグ２に記憶される情報の読み書き、および読み出された情報に基づく処理を統括的に制御する制御部７と、制御部７と接続され、制御部７により制御されて警告音を発するブザー８とを有し、携帯可能に構成される。
【００１４】
リーダライタ６は、制御部７による制御により、アンテナ部６１から出射される電波の周波数を切り換えて非接触でＩＣタグ２に記憶される情報の読み書きを行う範囲を設定変更可能に構成される。図２に示すように、本実施例のリーダライタ６は、一点鎖線で示されて平面視において半径Ｒ１の円形状で表される第１設定範囲（例えば、Ｒ１：約１０ｍ）Ａ１と、二点鎖線で示されて平面視において半径Ｒ２の円形状で表される第２設定範囲（例えば、Ｒ２：約１５ｍ）Ａ２との２段階で設定変更できるようになっている。これにより、第１設定範囲Ａ１の内方領域である平面視円形状の第１領域Ｂ１と、第２設定範囲Ａ２の内方領域から第１領域Ｂ１を除いた平面視ドーナツ形状の第２領域Ｂ２とが形成され、このような第１領域Ｂ１内に管理対象１が存在するとき、管理対象１が安全管理下にあるとされる。
【００１５】
また、制御部７には、管理対象１に備え付けられるＩＣタグ２のメモリ部２１ａに記憶された固有ＩＤ情報Ｉ１を記録するＩＤ情報記録部（図示せず）が備えられている。
【００１６】
次いで、上記構成のセキュリティシステムＳＳにおいて、管理端末装置５の制御部７により行われるリーダライタ６の読み書き等の制御処理内容について図３に示すフローチャートを参照して説明する。
【００１７】
まず、リーダライタ６のアンテナ部６１から出射される電波の周波数を第１設定範囲Ａ１となるように設定して管理対象１に備えられるＩＣタグ２に記憶される情報の読み込みが行われ（ステップＳ１１）、読み出されたＩＤ情報Ｉ１と制御部７のＩＤ情報記憶部に記憶される情報との照合を行うことによりこの出力範囲設定下で管理対象１に備えられるＩＣタグ２の情報が読み込まれたか否か、即ち第１領域Ｂ１内にＩＣタグ２が存在するか否かが判断される（ステップＳ１２）。このとき、第１領域Ｂ１内に管理対象１が存在するときは、管理対象１に備えられるＩＣタグ２の情報の読み込みがなされ、当該管理端末装置に対応付けられてＩＣタグ２のメモリ２１ａに記憶される位置情報Ｉ２が、第１領域Ｂ１内に管理対象１が存在する位置関係にあることを示す圏内情報に書き換えられ（ステップＳ１３）、本処理が終了する。
【００１８】
そして、第１設定範囲Ａ１でＩＣタグ２に記憶される情報が読み込めなかった場合、アンテナ部６１から出射される電波を第２設定範囲Ａ２となるように設定し、再度リーダライタ６によるＩＣタグ２に記憶される情報の読み込みが行われ（ステップＳ２１）、読み出された固有ＩＤ情報Ｉ１と制御部７のＩＤ情報記憶部に記憶される情報との照合を行うことによりこの出力範囲設定下で管理対象１に備えられるＩＣタグ２に記憶される情報の読み込みが行われたか否か、即ち第２領域Ｂ２内にＩＣタグ２が存在するか否かが判断され（ステップＳ２２）、情報が読み込めなかった場合はそのまま本処理を終了させる。また、このとき、第２領域Ｂ２内に管理対象１が存在するときは、管理対象１に備えられるＩＣタグ２に記憶されるシステムを構成する全ての管理端末装置の位置情報Ｉ２，Ｉ２，…がリーダライタ６により読み込まれ、該管理端末装置に対応付けられてＩＣタグ２のメモリ部２１ａに記憶される位置情報Ｉ２が、第２領域Ｂ１外に管理対象１が存在する位置関係にあることを示す圏外情報に書き換えられる（ステップＳ２３）。次いで、リーダライタ６により読み込まれた位置情報のうち、該管理端末装置以外の管理端末装置に対応付けられて記憶される位置情報に圏内情報であるか否かが判断される（ステップＳ２４）。
【００１９】
この判断により、１つでも圏内情報があるとされる場合は、即ち該管理端末装置を除く少なくとも１つの管理端末装置の第１領域Ｂ１内に管理対象１が存在していれば、本処理が終了する。また、圏内情報が１つもないとされる場合は、即ち該管理端末装置を除く全ての管理端末装置の第１領域Ｂ１内に管理対象１が存在していなければ、ブザー８から警告音が発せられる（ステップＳ１００）。
【００２０】
各管理端末装置５，５，…の制御部７により行われる上記処理は、所定時間（例えば、約５秒）おきに継続して行われる。
【００２１】
このようなセキュリティシステムＳＳでは、２つの管理端末装置で管理しているとすると、図４に示すように、管理対象１が両管理端末装置５ａ，５ｂの第１領域Ｂ１ａ，Ｂ１ｂ内に存在していれば、管理対象１は両管理端末装置５の取扱者から離れたところになく安全管理下にあるとし、管理端末装置５ａ，５ｂに対応付けられて記憶される位置情報Ｉ２ａ，Ｉ２ｂがそれぞれ圏内情報に書き換えられる。また、両管理端末装置５ａ，５ｂにおいてステップＳ１１〜１３の処理が所定間隔おきに継続して行われる。
【００２２】
次いで、図５に示すように、管理端末装置５ｂの取扱者が管理対象１から遠ざかり、管理対象１が管理端末装置５ａの第１領域Ｂ１ａ内に存在し、管理端末装置５ｂの第２領域Ｂ２ｂ内に存在するようになると、管理端末装置５ａに対応付けられて記憶される位置情報Ｉ２ａは、図４に示す場合と同様、ステップＳ１１〜１３の処理が所定時間おきに継続して行われる。一方、管理端末装置５ｂにおいては、第２設定範囲Ａ２ｂでの情報読み込みを行うように設定変更が行われ、管理端末装置５ｂに対応付けられて記憶される位置情報Ｉ２ｂが圏内情報から圏外情報に書き換えられ、読み出した位置情報Ｉ２ａが圏内情報であることから、管理対象１は管理端末装置５ａの取扱者から離れたところになく安全管理下にあるとして処理が終了し、この処理パターン（ステップＳ１１，１２，２１〜２４）が所定時間おきに継続して行われる。
【００２３】
また、図６に示すように、図５に示す状態から管理端末装置５ｂの取扱者がさらに管理対象１から遠ざかってＩＣタグ２が第２設定範囲Ａ２ｂ外に位置するようになると、管理端末装置５ｂとＩＣタグ２との間で情報の送受信は不可能となり、ステップＳ２２の判断処理を受けて終了する処理パターンが所定間隔おきに継続して行われる。また、ＩＣタグ２のメモリ部２１ａにおいて管理端末装置５ｂに対応付けられて記憶される位置情報Ｉ２ｂは、圏外情報が記憶されたままとなる。一方、この状態において管理対象１は管理端末装置５ａの第１領域Ｂ１ａ内にあるため管理対象１は安全管理下にあるとし、管理端末装置５ａの制御部７により、図４に示す場合と同様、ステップＳ１１〜１３の処理が所定間隔おきに継続して行われる。
【００２４】
そして、図７に示すように、図５に示す状態から管理端末装置５ａの取扱者が管理対象１から遠ざかって管理対象１が管理端末装置５ａの第２領域Ｂ２ａ内に存在するようになると、管理端末装置５ａにおいては、第２設定範囲Ａ２ａでの情報読み込みを行うように設定変更が行われ、管理端末装置５ａに対応付けられて記憶される位置情報Ｉ２ａが圏内情報から圏外情報に書き換えられる。そして、ステップＳ２１で読み出した管理端末装置５ｂの位置情報Ｉ２ｂが圏外情報であることから、管理対象１は双方の管理端末装置５ａ，５ｂから離れたところにあり安全管理下にない状態であるとして、管理端末装置５ａのブザー８から警告音が発せられる。また、管理端末装置５ｂにおいては、上記の通り、ステップＳ１１，１２，２１〜２４の処理パターンが継続して行われているが、管理端末装置５ａに対応付けられて記憶される位置情報Ｉ２ａが圏外情報に書き換えられたことを受け、ブザー８から警告音が発せられるようになる。これにより、管理端末装置５ｂの取扱者においても管理対象１が双方の管理端末装置５ａ，５ｂから離れたところに存在することを知るところとなる。
【００２５】
なお、図８に示すように、図６に示す状態から管理端末装置５ａの取扱者が管理対象１から遠ざかって管理対象１が管理端末装置５ａの第２領域Ｂ２内に存在するようになった場合は、管理端末装置５ａにおいては図７に示す場合と同様にして最後に管理対象１から遠ざかるものであるとしてブザー８から警告音が発せられ、管理端末装置５ｂにおいてはＩＣタグ２と情報を送受信できない状態であり、警告等がなされることはない。
【００２６】
このように本システムによれば、複数人であるものを管理する場合において、その管理対象１にＩＣタグ２を設け、管理者がそれぞれ本発明に係る管理端末装置５，５，…を携帯して管理することにより、管理対象１を管理するにあたって安全管理下にあるとする第１領域Ｂ１から最後に離れようとする管理者が取り扱う管理端末装置（図７，図８に示す管理端末装置５ａ）のブザー８から警告が発せられることとなる。このため、複数人で管理対象１を管理する場合において、従来よりも使い勝手のよいセキュリティシステムを提供することができ、また、このような構成とすることにより、ＩＣタグ２のメモリ部２１ａを管理端末装置５に対する共有メモリとして機能させることができ、上記利便性の高いセキュリティシステムをＩＣタグ２と、リーダライタ６を有した管理端末装置５とのみから簡易に構成することができる。
【００２７】
なお、装置構成を図１に示すものと同様とし、処理内容を図９に示すように変更させて構成されるセキュリティシステムの変更構成例について説明する。図９に示すフローチャートは、図３に示すフローチャートでは圏内情報があるか否かを判断して（ステップＳ２４）いたのに対し、圏外情報が所定数以上あるか否かを判断する（ステップＳ２４ｂ）ように変更構成されている。さらに、第１領域Ｂ１でＩＣタグ２の情報を読み込んだときに行われる処理フロー中に、ステップＳ２４ｂと同様にして圏外情報が所定数以上あるか否かを判断する処理（ステップＳ１４）が追加されている。そして、これら判断処理により、圏外情報が所定数に達していないと判断されれば処理を終了させるようになっており、圏外情報が所定数以上あると判断されればブザー８より警告音が発せられるようになっている。なお、この所定数は管理端末装置５に備えられる制御部７により適宜設定変更可能に構成されている。
【００２８】
このような処理内容とすることにより、３個以上の管理端末装置５，５，…を設けてシステムを構成する場合に、所定数以上の管理端末装置における第１領域Ｂ１内にＩＣタグ２が存在しなくなったとき、即ち所定数以上の管理端末装置が管理対象１を安全管理下においていない状態となったときに警告が発せられるようになる。このため、この所定数を適宜設定変更することによって管理対象１のセキュリティ性に応じた管理を行うことが可能となり、より使い勝手のよいセキュリティシステムを提供することができる。また、このようなセキュリティ性の柔軟な変更は管理端末装置５の制御部７における設定変更のみで行われ、利便性の高い本システムを簡易に構成することができる。
【００２９】
また、図３に示す処理におけるステップＳ２１の処理において、第２設定範囲Ａ２においてもＩＣタグ２の情報を読み湖面買った場合に、ステップＳ２２と同様であるステップＳ２２ｂの判断処理を受け、ブザー８による警告音が発せられる（ステップＳ１００）ように処理するよう構成してもよい。このような構成とすれば、例えば図６の管理端末装置５ｂに相当する位置に管理端末装置５から警告が発せられることとなり、管理者全員によって管理対象を安全管理下におくような場合など、セキュリティ性を高める必要があるときに有効にシステムを機能させることが可能となる。
【００３０】
なお、本発明に係る上記実施例においては管理端末装置５を複数設けて複数の管理者により管理対象１を管理するとして構成したが、例えば１人の管理者により管理させる場合においても、上記実施例の装置構成、処理内容に変更を加えることなくシステムを構成でき、管理対象１が安全管理下にあるとされる第１領域Ｂ１外に存在するようになれば管理端末装置５のブザー８から警告音が発せられるとするセキュリティシステムが構成される。
【００３１】
なお、本発明に係る警告手段としてブザー８を用いるとして説明したが、管理端末装置５の取扱者が警告を知覚できるものであれば必ずしもこれに限らず、例えば液晶ディスプレイ等の表示装置を利用してこの表示装置に警告内容を表示させる形態等であっても同様に実施可能である。
【００３２】
このような本セキュリティシステムＳＳは、上記各実施例で述べた管理対象１として、カバン等の携帯所持品等を適用し、所持品管理を行うセキュリティシステムに供することも可能であり、子供等にＩＤタグ２を備え付けた衣類等を着用させることによって迷子管理を行うセキュリティシステムに供することも可能であり、その他様々な管理に供することができる。
【図面の簡単な説明】
【００３３】
【図１】本発明に係るセキュリティシステムの構成図である。
【図２】リーダライタの出力範囲を平面視で示す模式図である。
【図３】制御部の処理内容を示すフローチャートである。
【図４】ＩＣタグと管理端末装置との位置関係を示す模式図である。
【図５】ＩＣタグと管理端末装置との位置関係を示す模式図である。
【図６】ＩＣタグと管理端末装置との位置関係を示す模式図である。
【図７】ＩＣタグと管理端末装置との位置関係を示す模式図である。
【図８】ＩＣタグと管理端末装置との位置関係を示す模式図である。
【図９】第２の本発明に係るセキュリティシステムにおける制御部の処理内容を示すフローチャートである。
【符号の説明】
【００３４】
ＳＳ  セキュリティシステム
Ａ１  第１設定範囲
Ａ２  第２設定範囲
Ｉ２  位置情報
１  管理対象
２  ＩＣタグ（情報記憶手段）
５  管理端末装置
６  リーダライタ
８  ブザー（警告手段）
【図１】
2006085314.tif 000003
【図２】
2006085314.tif 000004
【図３】
2006085314.tif 000005
【図４】
2006085314.tif 000006
【図５】
2006085314.tif 000007
【図６】
2006085314.tif 000008
【図７】
2006085314.tif 000009
【図８】
2006085314.tif 000010
【図９】
2006085314.tif 000011